(57)【特許請求の範囲】
【請求項１】
軸筒が、前端に前端孔を備えた前軸と、該前軸の後端に連結される後軸とからなり、前記軸筒内に複数の筆記体を前後方向に移動可能に収容し、前記各々の筆記体の後端に操作体を連結し、前記各々の操作体を後方に付勢する複数のスプリングを軸筒内に収容し、前記前軸の内壁にスプリングの前端を支持し且つ筆記体が摺動する複数の内孔を有するスプリング支持部を設け、前記後軸の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を前軸の前端孔から突出させるとともに、先に突出状態にあった他の筆記体のペン先を軸筒内に没入させてなる多芯筆記具であって、
前記前軸の内面に複数の係合凹部を周方向に分散状に設け、前記後軸の前端部に軸方向に延び且つ径方向の可撓性を備えた複数の脚片を設け、前記脚片の径方向外面に係合凸部を設け、前記脚片を前軸の後端開口部に挿入し、前記係合凹部と前記係合凸部とを係合固定させ、前記窓孔の前端を連結壁部によって閉鎖し、前記連結壁部によって前記各々の脚片間を連結してなることを特徴とする多芯筆記具。
【請求項２】
前記窓孔の相互間の後軸の側壁の内面及び連結壁部の内面に、軸方向に延びるリブを一体に形成し、前記リブと前記脚片とを一体に連設してなる請求項１記載の多芯筆記具。
【請求項３】
前記後軸の後端に、窓孔を後方に開放させる開閉自在の開口部を設け、前記開口部を介して筆記体及び操作体を、軸筒内から取り外し可能且つ軸筒内に挿入可能に構成した請求項１または２記載の多芯筆記具。
【発明の詳細な説明】
【技術分野】
【０００１】
本発明は、多芯筆記具に関する。詳細には、軸筒内に複数本の筆記体を前後方向に移動可能に収容した多芯筆記具に関する。
【背景技術】
【０００２】
従来、この種の多芯筆記具において、特許文献１には、軸本体を前軸と後軸とにより構成し、互いを係合固定し、後軸には、前方に複数の脚部が形成され、スライダー（本願の操作体に相当）が摺動するスリットを前軸側の端部まで形成すると共に、該スリットにスライダーが摺動する摺動溝（本願の窓孔に相当）を形成した構造が開示されている。
【先行技術文献】
【特許文献】
【０００３】
【特許文献１】特許第３３８４１８７号公報
【発明の概要】
【発明が解決しようとする課題】
【０００４】
前記従来の多芯筆記具は、スライダーが摺動するスリット前軸側の端部まで形成されているため、脚部が径方向内方に撓み易い。それにより、前記従来の多芯筆記具は、前軸と後軸との結合力が弱くなり、使用時に前軸に対して後軸がぐらついたり、前軸と後軸とが分離したりするおそれがある。
【０００５】
本発明は前記従来の問題点を解決するものであって、前軸と後軸が強固に固定され、使用時に前軸に対して後軸がぐらついたり、前軸と後軸とが分離したりするおそれがない多芯筆記具を提供しようとするものである。
尚、本発明において、軸筒において、「前」とは前端孔側を指し、「後」とはその反対側を指し、筆記体において、「前」とはペン先側を指し、「後」とはその反対側を指す。
【課題を解決するための手段】
【０００６】
本願の第１の発明は、軸筒２が、前端に前端孔３１を備えた前軸３と、該前軸３の後端に連結される後軸４とからなり、前記軸筒２内に複数の筆記体６を前後方向に移動可能に収容し、前記各々の筆記体６の後端に操作体７を連結し、前記各々の操作体７を後方に付勢する複数のスプリング８を軸筒２内に収容し、前記前軸３の内壁にスプリング８の前端を支持し且つ筆記体６が摺動する複数の内孔９1を有するスプリング支持部９を設け、前記後軸４の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を前軸３の前端孔３１から突出させるとともに、先に突出状態にあった他の筆記体６のペン先６１を軸筒２内に没入させてなる多芯筆記具であって、前記前軸３の内面に複数の係合凹部３２を周方向に分散状に設け、前記後軸４の前端部に軸方向に延び且つ径方向の可撓性を備えた複数の脚片４２を設け、前記脚片４２の径方向外面に係合凸部４２ａを設け、前記脚片４２を前軸３の後端開口部に挿入し、前記係合凹部３２と前記係合凸部４２ａとを係合固定させ、前記窓孔４１の前端を連結壁部４３によって閉鎖し、前記連結壁部４３によって前記各々の脚片４２間を連結してなることを要件とする。
【０００７】
前記第１の発明の多芯筆記具は、前記窓孔４１の前端を連結壁部４３によって閉鎖し、前記連結壁部４３によって前記各々の脚片４２間を連結してなることにより、前軸３と後軸４が強固に固定され、使用時に前軸３に対して後軸４がぐらついたり、前軸３と後軸４とが分離したりするおそれがない。尚、本発明で、前記係合凸部４２ａの数は、係合凹部３２の数に対応した数であればよく、全ての脚片４２に係合凸部４２ａを設ける必要はない。
【０００８】
本願の第２の発明は、前記第１の発明の多芯筆記具において、前記窓孔４１の相互間の後軸４の側壁の内面及び連結壁部４３の内面に、軸方向に延びるリブ４４を一体に形成し、前記リブ４４と前記脚片４２とを一体に連設してなることを要件とする。
【０００９】
前記第２の発明の多芯筆記具は、前記窓孔４１の相互間の後軸４の側壁の内面及び連結壁部４３の内面に、軸方向に延びるリブ４４を一体に形成し、前記リブ４４と前記脚片４２とを一体に連設してなることにより、窓孔４１相互間の後軸４の側壁の強度を向上させることができるとともに、各々の脚片４２の折れ曲がりに対する強度を向上させることができる。
【００１０】
本願の第３の発明は、前記第１または第２の発明の多芯筆記具において、前記後軸４の後端に、窓孔４１を後方に開放させる開閉自在の開口部４５を設け、前記開口部４５を介して筆記体６及び操作体７を、軸筒２内から取り外し可能且つ軸筒２内に挿入可能に構成したことを要件とする。
【００１１】
前記第３の発明の多芯筆記具は、後軸４の後端に、窓孔４１を後方に開放させる開閉自在の開口部４５を設け、前記開口部４５を介して筆記体６及び操作体７を、軸筒２内から取り外し可能且つ軸筒２内に挿入可能に構成したことにより、窓孔４１の前端を連結壁部４３によって閉鎖しても、筆記体６及び操作体７を容易に交換することができる。
【発明の効果】
【００１２】
本発明の多芯筆記具は、前軸と後軸が強固に固定され、使用時に前軸に対して後軸がぐらついたり、前軸と後軸とが分離したりするおそれがない。
【図面の簡単な説明】
【００１３】
【図１】本発明の多芯筆記具の実施の形態の縦断面図である。
【図２】図１の要部拡大縦断面図である。
【図３】図２のＡ−Ａ線断面図である。
【図４】図２のＢ−Ｂ線断面図である。
【図５】図１の前軸の斜視図である。
【図６】図１の前軸の斜視図である。
【図７】図１の後軸の斜視図である。
【図８】図７の要部拡大斜視図である。
【図９】図１の後軸の斜視図である。
【図１０】図９の要部拡大斜視図である。
【図１１】図１の筆記体の交換時を示す縦断面図である。
【発明を実施するための形態】
【００１４】
図１乃至図１１に本発明の実施の形態を示す。
本実施の形態の多芯筆記具１は、軸筒２内に複数本（具体的には５本）の筆記体６が前後方向に移動可能に収容されている。前記各々の筆記体６は、各々の弾発体（具体的には圧縮コイルスプリング）により、後方に付勢されている。本実施の形態では、軸筒２内に収容する筆記体６の本数は、５本であるが、これ以外にも、例えば、２本、３本、４本、６本であってもよい。
【００１５】
（軸筒）
前記軸筒２は、先細円筒状の前軸３と、該前軸３の後端に連結される円筒状の後軸４とからなる。
【００１６】
（前軸）
前記前軸３は合成樹脂成形体または金属加工体により得られる。
前記前軸３は、前部材３ａと、該前部材３ａの後端部に連結される後部材３ｂとからなる。
前記前軸３の前端（前部材３ａの前端）には、前端孔３１が前後方向に貫設される。前記前軸３（前部材３ａ）の外面は、弾性材料からなる把持部が設けられる。前記前軸３（後部材３ｂ）の後端開口部内面には、複数（例えば３個）の係合凹部３２が周方向に分散状に設けられる。前記係合凹部３２は、本実施の形態では、径方向に貫通される孔（即ち径方向外方に開口する孔）が採用されているが、これ以外に、貫通されていない窪みであってもよい。前記係合凹部３２が径方向に貫通される孔の場合、金型による樹脂成形や孔加工により容易に係合凹部３２が得られる。
【００１７】
前記前軸３（後部材３ｂ）の後端開口部内面には、前後方向に延びる複数本の溝３３が、周方向に等間隔に形成される。前記各々の溝３３に、前記係合凹部３２が形成される。即ち、前記各々の溝３３に、複数（例えば２個）の係合凹部３２が前後に配設される。
前記前軸３（即ち後部材３ｂ）の内壁には、スプリング８の前端を支持するスプリング支持部９が一体に形成される。前記スプリング支持部９は、各々の筆記体６が摺動する複数の内孔９１を有する。
【００１８】
（後軸）
前記後軸４は、合成樹脂成形体または金属加工体により得られる。前記後軸４の側壁には、前後方向に延びる複数（例えば５本）の窓孔４１が径方向に貫設される。前記窓孔４１の前端は、連結壁部４３によって閉鎖される。即ち、前記窓孔４１の前端は、前方に切り欠き状に開口していない。
【００１９】
前記後軸４の前端部には、軸方向に延び且つ径方向の可撓性を備えた複数本（例えば５本）の脚片４２が一体に形成される。前記各々の脚片４２間が、前記連結壁部４３によって連結される。前記脚片４２の径方向外面には、係合凸部４２ａが一体に形成される。前記脚片４２の径方向外面には、前記係合凸部４２ａが、前後に複数個所（例えば前後に２箇所）に配設される。本実施の形態では、５本の脚片４２のうち、３本の脚片４２の径方向外面に係合凸部４２ａが設けられる。
【００２０】
前記係合凸部４２ａは、前面に傾斜面を備え、後面が軸線に対して垂直面となっている。それにより、前記係合凸部４２ａと前記係合凹部３２とのスムーズな係合取付と、前記係合凸部４２ａと前記係合凹部３２との強固な係合状態を得られる。
【００２１】
前記窓孔４１の相互間の後軸４の側壁の内面及び連結壁部４３の内面に、軸方向に延びるリブ４４を一体に形成し、前記リブ４４と前記脚片４２とを一体に連設してなる。それにより、窓孔４１相互間の後軸４の側壁の強度を向上させることができるとともに、各々の脚片４２の折れ曲がりに対する強度を向上させることができる。
【００２２】
前記後軸４の窓孔４１は、互いに、円周方向に等間隔に配置される。前記窓孔４１の相互間の後軸４の一つの側壁には、クリップが設けられる。
【００２３】
（前軸と後軸の連結）
前記各々の脚片４２を前記前軸３の後端開口部に各々の溝３３に沿って挿入し、前記各々の係合凹部３２と前記各々の係合凸部４２ａとを係合固定させる。それにより、前記前軸３と前記後軸４とが前後に連結され、軸筒２が構成される。前記軸筒２の内部に複数の筆記体６を収容した際、前記各々の脚片４２が前記筆記体６の相互間の軸筒２内面（前軸３内面の溝）に接触する。
【００２４】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００２５】
（操作体）
前記各々の筆記体６の後端（即ちインキ収容管６２の後端開口部）には、操作体７が取り付けられる。前記各々の操作体７の操作部７１が、前記各々の窓孔４１から径方向外方に突出される。前記操作部７１を前方に押圧操作することにより、ペン先６１が突出状態となり、他の筆記体６のペン先突出状態が解除される。
【００２６】
（蓋部）
図７、８に示すように、前記各々の窓孔４１の後端は、軸筒２の後端（即ち後軸４の後端）より後方に切り欠き状に開口する開口部４５が形成される。前記軸筒２の後端には、前記開口部４５を開閉自在にする蓋部５が設けられる。前記軸筒２の開口部４５を介して、前記筆記体６と操作体７とを互いに連結状態で、交換することができる。前記蓋部５は、ヒンジ部に回動自在に取り付けられる。前記蓋部５前面には、当接壁部５１が形成される。前記当接壁部５１に、没入状態の筆記体６の後端に連結された各々の操作体７の後端が当接される。
【００２７】
前記蓋部５の前面には、係合部５２（具体的には係合孔）が設けられ、前記後軸４の後端には、前記係合部５２と係合可能な被係合部４６（具体的には係合突起）が設けられる。前記係合部５２と前記被係合部４６とは、蓋部５が開口部４５を閉鎖した際、互いに係合状態にあり、弾発体の後方への付勢による操作体７と蓋部５前面の当接壁部５１との当接では、その係合状態は解除されず、蓋部５が開くことはない。
【００２８】
（スプリング支持部）
前軸３の内壁（即ち後部材３ｂの内壁）には、スプリング支持部９が一体に形成される。前記スプリング支持部９には、各々の筆記体６が挿通される複数（具体的には５個）の内孔９1が軸方向に貫設されている。前記スプリング支持部９の後面と各々の操作体７との間には、スプリング８が配置される。前記各々のスプリング８の内部に各々の筆記体６が遊挿される。
【００２９】
前記スプリング支持部９に後面には、各々の操作体７との間に配置され、ペン先出没操作に伴って各々の操作体７と係合可能なカム部材１０が固定される。前記カム部材１０の後端部が、径方向に変位可能なカム部を備える。本実施の形態では、前記各々のスプリング８の前端がスプリング支持部９に係止され、一方、前記各々のスプリング８の後端が操作体７に係止される。
【００３０】
本実施の形態の多芯筆記具１は、前記窓孔４１の前端を連結壁部４３によって閉鎖し、前記連結壁部４３によって前記各々の脚片４２間を連結してなることにより、前軸３と後軸４が強固に固定され、使用時に前軸３に対して後軸４がぐらついたり、前軸３と後軸４とが分離したりするおそれがない。
【００３１】
本実施の形態の多芯筆記具１は、前記窓孔４１の相互間の後軸４の側壁の内面及び連結壁部４３の内面に、軸方向に延びるリブ４４を一体に形成し、前記リブ４４と前記脚片４２とを一体に連設してなることにより、窓孔４１相互間の後軸４の側壁の強度を向上させることができるとともに、各々の脚片４２の折れ曲がりに対する強度を向上させることができる。
【００３２】
本実施の形態の多芯筆記具１は、後軸４の後端に、窓孔４１を後方に開放させる開閉自在の開口部４５を設け、前記開口部４５を介して筆記体６及び操作体７を、軸筒２内から取り外し可能且つ軸筒２内に挿入可能に構成したことにより、窓孔４１の前端を連結壁部４３によって閉鎖しても、筆記体６及び操作体７を容易に交換することができる。
【符号の説明】
【００３３】
１  多芯筆記具
２  軸筒
３  前軸
３１  前端孔
３２  係合凹部
３３  溝
３ａ  前部材
３ｂ  後部材
４  後軸
４１  窓孔
４２  脚片
４２ａ  係合凸部
４３  連結壁部
４４  リブ
４５  開口部
４６  被係合部
５  蓋部
５１  当接壁部
５２  係合部
６  筆記体
６１  ペン先（ボールペンチップ）
６２  インキ収容管
７  操作体
７１  操作部
８  スプリング
９  スプリング支持部
９１  内孔
１０  カム部材
【図１】
0005457264.tif 000002
【図２】
0005457264.tif 000003
【図３】
0005457264.tif 000004
【図４】
0005457264.tif 000005
【図５】
0005457264.tif 000006
【図６】
0005457264.tif 000007
【図７】
0005457264.tif 000008
【図８】
0005457264.tif 000009
【図９】
0005457264.tif 000010
【図１０】
0005457264.tif 000011
【図１１】
0005457264.tif 000012